(57)【要約】【課題】支柱内部にナット部材を配置でき、且つ、当該ナット部材から支柱端部までの支柱強度を高めることのできる支柱構造を提供する。【解決手段】中空角柱パイプ状の支柱１１の内部に、当該支柱１１の端部から挿入される補強部材２２が配置されている。補強部材２２にはナット部材２４が固定される一方、支柱１１の側面にはナット部材２４に開通する位置に連結用穴２６が形成されている。支柱１１は、一対配置とした状態で上下の連結フレーム１２，１３を介して相互に連結されて家具ユニットを構成する。【選択図】          図４
2004261379.tif 000002
【特許請求の範囲】
【請求項１】
略パイプ状に設けられるとともに側面に連結用穴が形成された支柱と、この支柱の内部に配置された補強部材と、当該補強部材に設けられた連結要素とを備え、
前記連結要素は前記連結用穴に対応した位置に設けられていることを特徴とする支柱構造。
【請求項２】
略パイプ状に設けられるとともに側面に連結用穴が形成された支柱の内部中間位置に所定の外側部材を連結するための連結要素を設けた支柱構造において、
前記支柱の端部から挿入されて当該支柱の内面側に配置される補強部材と、この補強部材に設けられた連結要素とを備え、
前記連結要素は前記連結用穴に対応した位置に設けられていることを特徴とする支柱構造。
【請求項３】
略パイプ状に設けられるとともに端部領域を除く中間位置に連結用穴が形成された左右一対の支柱と、これら支柱間を相互に連結する連結フレームとを備えた家具ユニットにおいて、
前記支柱の端部から挿入されて少なくとも前記連結用穴の領域まで達する長さを備えた補強部材と、この補強部材に設けられて前記連結用穴に開通する連結要素とを含み、
前記連結フレームは、前記連結用穴内に挿入される所定の連結具を介して前記連結要素に連結されることを特徴とする家具ユニット。
【請求項４】
前記支柱は中空角柱状をなし、その左右両側面に連結用穴がそれぞれ形成されているとともに、前記補強部材は、前記支柱内の相対する内面上に対向配置されていることを特徴とする請求項３記載の家具ユニット。
【請求項５】
前記支柱の少なくとも前面側には、上下方向に沿って配置された複数のスロット穴が形成され、
前記補強部材は、前記スロット穴を閉塞しない形状に設けられていることを特徴とする請求項４記載の家具ユニット。
【発明の詳細な説明】
【０００１】
【発明の属する技術分野】
本発明は支柱構造及びこれを用いた家具ユニットに係り、更に詳しくは、パイプ状をなす支柱の内部にナット等の連結要素を容易に配置させることができる支柱構造及びこれを用いた家具ユニットに関する。
【０００２】
【従来の技術】
従来より、デスク天板の後部を支持する支柱や、書架の棚板を支持する支柱は、内部を中空とした角柱パイプ材を用いることが知られている。この支柱は、一般的には左右一対の関係に配置され、それらの上下両側間に連結フレームを介して相互に連結されている。
このような支柱を二本の連結フレームで相互に連結する場合には、それらの上端部と下端部との間に連結フレームを位置させて略方形枠状に組み立てることが強度的に好ましいものとされている。ここで、支柱に対して溶接以外の方法で連結フレームを固定する構造としては、支柱の側面に面接触する連結片を連結フレームの端部に設けておくとともに、当該連結片の面内にボルトの挿入穴を設け、当該挿入穴にボルトを挿入して支柱の側面に形成されたねじ穴に締め付け固定する、という構造が知られている。
【０００３】
【発明が解決しようとする課題】
しかしながら、このような連結構造では、連結フレームが連結された支柱の対応部位における強度が非常に弱くなるという問題がある。そこで、支柱の内面側にナット部材を溶接しておき、このナット部材に前記ボルトをねじ込みできるようにした連結構造が採用されている。
【０００４】
ところが、前記ナット部材を支柱の内面側に固定する場合には、当該ナット部材の溶接作業を行うことができる領域が支柱の端部に限定されてしまう、という不都合がある。つまり、支柱の一端から一定距離内方に離れた内面側にナット部材を溶接することは技術的に困難となる。
【０００５】
また、仮に、支柱の一端から一定距離内方に離れた内面側にナット部材を固定することができたとしても、この場合の連結フレームの連結位置は、支柱の端部から離れた位置となり、当該支柱の端部からナット部材までの領域における支柱の強度が相対的に弱くなるという別異の不都合を招来する。
【０００６】
【発明の目的】
本発明は、このような不都合に着目して案出されたものであり、その目的は、支柱の端部から離れた内方にナット部材等の連結要素を容易に配置できるとともに、この連結要素を利用して連結フレーム等の外側部材を連結しても、当該連結要素と支柱の端部との間の強度低下を防止することのできる支柱構造及びこれを用いた家具ユニットを提供することにある。
【０００７】
本発明の他の目的は、前記連結要素の取り付け位置を精度良く決定することのできる支柱構造及びこれを用いた家具ユニットを提供することにある。
【０００８】
【課題を解決するための手段】
前記目的を達成するため、本発明に係る支柱構造は、略パイプ状に設けられるとともに側面に連結用穴が形成された支柱と、この支柱の内部に配置された補強部材と、当該補強部材に設けられた連結要素とを備え、
前記連結要素は前記連結用穴に対応した位置に設けられる、という構成を採っている。このような構成では、前記補強部材に連結要素を予め溶接等の手段で固定しておき、その後に、補強部材を支柱の内部に挿入すればよいことになる。そして、補強部材と支柱とを溶接することで補強部材を支柱内に固定することができる。これにより、ナット部材を支柱の端部から離れた内方位置に設ける場合の技術的困難性が解消され、また、補強部材が存在する領域において支柱の強度が増大されることとなる。
【０００９】
また、本発明は、略パイプ状に設けられるとともに側面に連結用穴が形成された支柱の内部中間位置に所定の外側部材を連結するための連結要素を設けた支柱構造において、
前記支柱の端部から挿入されて当該支柱の内面側に配置される補強部材と、この補強部材に設けられた連結要素とを備え、
前記連結要素は前記連結用穴に対応した位置に設けられる、という構成を採っている。このような構成によれば、支柱の端部から離れた支柱側面に外側部材を連結することができる。従って、例えば、一対の支柱間に上下二本の連結フレームを配置して各支柱を相互に連結し、下部連結フレームの高さ位置を支柱の下端より上方に設定して下方に空間を形成する設計を行う場合においても、連結フレームの連結位置から支柱下端までの当該支柱の強度低下を防止することができるようになる。しかも、補強部材は支柱の端部から挿入される構成であるため、当該補強部材の端部を支柱の端部に一致させたときに、連結要素の位置が自動的に決定される構成となり、当該連結要素の位置を精度良く保つことができる。
【００１０】
更に、本発明は、略パイプ状に設けられるとともに端部領域を除く中間位置に連結用穴が形成された左右一対の支柱と、これら支柱間を相互に連結する連結フレームとを備えた家具ユニットにおいて、
前記支柱の端部から挿入されて少なくとも前記連結用穴の領域まで達する長さを備えた補強部材と、この補強部材に設けられて前記連結用穴に開通する連結要素とを含み、
前記連結フレームは、前記連結用穴内に挿入される所定の連結具を介して前記連結要素に連結される、という構成を採っている。この際、支柱は中空角柱状をなし、その左右両側面に連結用穴がそれぞれ形成されているとともに、前記補強部材は、前記支柱内の相対する内側面上に対向配置される、という構成を採ることができる。このような構成とすれば、支柱の左右両側面に設けられた各連結用穴に対応して連結要素が位置することとなるため、前記家具ユニットを横方向に増設する場合の対応適正を付与することができる。
【００１１】
また、前記支柱の少なくとも前面側には、上下方向に沿って配置された複数のスロット穴が形成され、
前記補強部材は、前記スロット穴を閉塞しない形状に設けられる、という構成を採ることが好ましい。これによれば、補強部材の取り付け位置が制約されることがない。
【００１２】
【実施例】
以下、本発明の実施例を図面を参照しながら説明する。
【００１３】
図１には、本発明に係る支柱構造が適用されたデスクの概略斜視図が示され、図２には、その左側面図が示されている。また、図３には、前記デスクの正面図が示されている。これらの図において、デスク１０は、左右一対の支柱１１，１１と、これら支柱１１，１１の上端部間及び下端部よりもやや上方位置間を相互に連結して前記支柱１１とともに家具ユニットを構成する外側部材としての上部連結フレーム１２及び下部連結フレーム１３と、支柱１１の前面側の所定高さ位置に設けられた天板１４と、この天板１４の上方に配置された上下二段の棚板１５及び棚板１６と、上部連結フレーム１２から天板１４の位置より若干下方位置までの領域において、前記支柱１１，１１間に配置されたパネル１８とを備えて構成されている。
【００１４】
前記支柱１１は、例えば、押出成形法により得られた略中空の角柱パイプ状をなし、その前後各面に、上下方向に沿って延びるスロット穴１１Ａが形成され、このスロット穴１１Ａを利用して前記天板１４の後部と棚板１５，１６がそれぞれ支持されるようになっている。また、支柱１１の下端部には、床面に沿う水平脚２０，２０が設けられ、これにより、前記上下の各連結フレーム１２，１３で各支柱１１を連結したときに自立可能となる。ここで、各支柱１１の下端部領域の内部には補強部材２２，２２がそれぞれ配置されている。補強部材２２は、図４ないし図６に示されるように、支柱１１内の左右方向に相対する内側面にそれぞれ面接触する縦長長方形状の本体面２２Ａと、この本体面２２Ａの短寸幅方向、すなわち前後両端縁に連なって支柱１１の前後各内面側に接する一対の屈曲面２２Ｂ，２２Ｂとからなり、横断面が略コ字状となる形状に設けられている。この屈曲面２２Ｂの短寸方向幅、すなわち左右幅は小さく設定されており、これにより、補強部材２２を支柱１１内に配置しても、屈曲面２２Ｂがスロット穴１１Ａを閉塞することがないようになっている（図５参照）。また、補強部材２２の上下方向長さは、前記下部連結フレーム１３を支柱１１間に配置したときに、当該連結フレーム１３を天板１４の手前に着座した者の膝領域に位置させることができる長さに設定されている。
【００１５】
前記補強部材２２の一端部領域となる図４中上端部領域において、その内側面の上下二箇所に連結要素としてのナット部材２４，２４が溶接により固定されている。そして、これらのナット部材２４の中心ねじ穴と同軸線上に位置する貫通穴２５が補強部材２２の本体面２２Ａに形成されている。この一方、支柱１１の左右側面には、前記補強部材２２を支柱１１の下端から挿入して当該補強部材２２の下端位置と支柱１１の下端位置とを一致させたときに前記ナット部材２４及び貫通穴２５と同軸上に位置する部分に連結用穴２６，２６が形成されている。また、これらの連結用穴２６の上下各隣接位置と、支柱１１の下端近傍位置には溶接用穴２７が支柱１１の上下方向三箇所に形成されている。従って、補強部材２２を支柱１１の下端から挿入し、前記溶接用穴２７を通じて補強部材２２，２２を支柱１１の各内側面に対して三箇所で溶接固定することができる。
【００１６】
前記下部連結フレーム１３は、左右方向に延びる中空パイプ状をなすフレーム本体２９と、このフレーム本体２９の長手方向両端に溶接固定される連結片３０とにより構成されている。連結片３０は、フレーム本体２９の端部を閉塞するとともに、当該フレーム本体２９の上下方向幅よりも大きな長さに設けられて支柱１１の内側面に面接触する接触面部３２と、この接触面部３２の前後各縁に連なってフレーム本体２９の前後各面側に折り曲げられた補強屈曲面部３３とにより構成されている。接触面部３２の上下各中央部には、ボルト挿入穴３２Ａ，３２Ａがそれぞれ形成されており、これらのボルト挿入穴３２Ａと支柱１１の連結用穴２６とを一致させてボルト３４をねじ込むことにより、当該ボルト３４がナット部材２４に締め付けでき、これにより、下部連結フレーム１３を支柱１１間に配置することができる。
【００１７】
前記天板１４は平面視略方形状をなし、前部下面側において、左右二箇所位置が脚柱４０，４０によって支持されている一方、後部下面側の左右二箇所がブラケット４１，４１によって支持されている。この天板１４は、その後端左右両側が支柱１１の前面に略突き当たる状態でブラケット４１，４１上に支持されている。なお、ブラケット４１は、後端部に設けられた図示しないフックを支柱１１のスロット穴１１Ａに引っ掛けて当該支柱に支持される公知の構造となっている。
【００１８】
前記棚板１５，１６は、支柱１１のスロット穴１１Ａに引っ掛けて支持された各一対をなす公知のブラケット４４，４５を介してそれぞれ支持されている。各棚板１５，１６は、平面視略方形状をなし、それらの後端左右両側が支柱１１の前面に略突き当たる状態でブラケット４４，４５にそれぞれ支持されている。
【００１９】
前記パネル１８は、上部連結フレーム１２の直下と、下部連結フレーム１３の上方において、支柱１１，１１間に掛け渡された角パイプ状の横架材５０，５１（図２参照）にそれぞれ支持されている。横架材５０，５１は、ここでは詳細構造を省略しているが、それらの長手方向両端側にフックを備えており、当該フックが支柱１１の後面に形成されたスロット穴に引っ掛けられるようになっている。そして、パネル１８は、横架材５０，５１の前面に係り合うような裏面構造を備え、これにより、パネル１８が支柱１１間に配置される。
【００２０】
以上の構成において、支柱１１を形成する際には、当該支柱１１の下端に水平脚２０を固定する前に、当該支柱１１の下端から補強部材２２を挿入する。そして、補強部材２２の下端と支柱１１の下端とが略一致する状態で、溶接用穴２７を利用してこれらを相互に溶接する。これにより、ナット部材２４，２４は、支柱１１の下端より内方すなわち上方に所定距離離れて位置し、ナット部材２４の中心ねじ穴が支柱１１の連結用穴２６にそれぞれ一致し、内外に開通した状態となる。この後、各支柱１１の下端に水平脚２０を固定すればよい。
【００２１】
前記下部連結フレーム１３を支柱１１間に連結する場合には、フレーム本体２９の長手方向両端に位置する連結片３０を支柱１１の内側面にあてがい、連結片３０のボルト挿入穴３２Ａを前記連結用穴２６に一致させてボルト３４をねじ込めば当該ボルト３４をナット部材２４に締結させることができる。次いで、前記天板１４及び棚板１５，１６をパネル１８の前方に組み立てることでデスク１０を完成させることができる。なお、ここでは、図示省略しているが、上部連結フレーム１２は、支柱１１の上端に引っ掛けるようにして当該支柱１１の上部間を相互に連結できるようになっている。
【００２２】
従って、このような実施例によれば、ナット部材２４を支柱１１の端部より離れた内方に位置させることが極めて容易となり、支柱２４の中間に連結要素を配置する必要性があっても難なく対応することが可能となる。
【００２３】
しかも、ナット部材２４が補強部材２２に固定若しくは保持される構成であるから、パイプ材からなる支柱の中間を相互に連結する構成とした場合に生じる支柱の強度低下も効果的に回避することができる。
【００２４】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施例では、デスク１０に本発明が適用された場合を図示、説明したが、デスク以外の家具、例えば、書架の支柱構造に本発明を適用することもできる。
【００２６】
更に、補強部材２２の形状は、図示構成例に限定されるものではなく、支柱１１の強度を高めることができ、且つ、ナット部材２４を支柱１１の端部より内方に位置させることができれば、大きさ、形状の変更を妨げない。
【００２７】
また、前記実施例では、独立したデスク１０を示しているが、支柱１１の下部外側面側を利用して更に横方向に上部連結フレーム１２及び下部連結フレーム１３を連結し、複数のデスクが横並びになるようにしてもよい。この場合、各デスクの中間に位置する支柱１１を共通部品として利用することができる。更に、パネル１８の背面側に前部天板１４と前後対称となる天板を配置してもよい。
【００２８】
更に、前記実施例では、支柱１１が押出成形法により得られた場合を示したが、一枚の縦長金属を折り曲げてパイプ状に形成してもよい。また、パイプ状とは、横断面において完全な閉ループを形成しているものに限定されるものではない。従って、一枚の金属板を折り曲げて形成する場合の突き合わせ端部間に隙間を有するタイプのものも含まれる。
【００２９】
【発明の効果】
以上説明したように、本発明によれば、ナット部材等の連結要素を支柱の端部から離れた内方位置に容易に設けることが可能となり、また、補強部材によって、支柱の強度も増大させることができる。しかも、連結要素の位置は、補強部材の位置によって特定されるので、当該補強部材を支柱に固定する位置的な精度が確保されている限り、設計上の位置に精度良く連結要素を配置することが可能となる。
【００３０】
また、前記連結要素を利用して、支柱の端部から離れた支柱側面間に連結フレームを連結することができ、連結フレームの連結位置から支柱端部までの当該支柱の強度を低下させてしまうという不都合も解消することができるようになる。
【００３１】
また補強部材が支柱内に配置された状態で、当該補強部材がスロット穴を閉塞しないため、補強部材の取り付け位置や補強部材の長さが制約されることもなく設計を行うことができる。
【図面の簡単な説明】
【図１】本発明が適用された実施例を示すデスクの概略斜視図。
【図２】前記デスクの左側面図。
【図３】前記デスクの正面図。
【図４】支柱の要部分解斜視図。
【図５】図３のＡ−Ａ線に沿う矢視拡大断面図。
【図６】左右一対の支柱の下部拡大正面図。
【符号の説明】
１０  デスク
１１  支柱
１１Ａ  スロット穴
１２  上部連結フレーム（外側部材）
１３  下部連結フレーム（外側部材）
２２  補強部材
２４  ナット部材（連結要素）
２６  連結用穴
【図１】
2004261379.tif 000003
【図２】
2004261379.tif 000004
【図３】
2004261379.tif 000005
【図４】
2004261379.tif 000006
【図５】
2004261379.tif 000007
【図６】
2004261379.tif 000008